【事件の表示】
　特願２００２−３４１５５８「再生装置、該再生装置の制御方法、再生装置制御プログラム、および該再生装置制御プログラムを記録した記録媒体」拒絶査定不服審判事件〔平成１６年　６月２４日出願公開、特開２００４−１７８６５４〕について、次のとおり審決する。
【結　論】
　本件審判の請求は、成り立たない。
【理　由】
第１　手続の経緯
　
　本願は、平成１４年１１月２５日の出願であって、平成１７年９月１６日付け拒絶理由通知に対する応答期間内の同年１１月２４日付けで手続補正がなされたが、同年１２月１９日付けで拒絶査定がなされ、これに対し、平成１８年２月９日に拒絶査定不服審判が請求されるとともに、同年３月１０日付けで手続補正がなされたものである。
　
第２　平成１８年３月１０日付けの手続補正についての補正却下の決定
　
［補正却下の決定の結論］
　平成１８年３月１０日付けの手続補正を却下する。
　
［理由］
１．本件補正
　
　平成１８年３月１０日付けの手続補正（以下「本件補正」という。）による特許請求の範囲の補正は、補正前に、
　「【請求項１】　
　交換可能な情報記録媒体の情報を再生する再生装置において、
　情報記録媒体の情報を再生する再生手段と、
　情報記録媒体を識別するための識別情報を認識する認識手段と、
　識別情報を含む情報を記憶する記憶手段と、
　情報記録媒体の再生を中断するときに、上記認識手段で認識した当該情報記録媒体の識別情報と、当該情報記録媒体の次回の再生を中断位置から行うために上記再生手段により再生を開始すべき当該記録媒体上の位置を特定可能な中断位置情報とを対応づけて、上記記憶手段に記憶させる再生中断制御手段と、
　情報記録媒体の再生を開始するときに、上記認識手段で認識した当該情報記録媒体の識別情報に対応して上記記憶手段に記憶されている中断位置情報に基づいて、上記再生手段による再生開始位置を制御する再生開始制御手段とを備え、
　上記再生中断制御手段は、情報記録媒体の再生を中断するときに、当該情報記録媒体の識別情報に対応づけて、当該情報記録媒体から読み取った再生中断位置後の再生内容の情報および再生中断位置前の再生内容の情報の少なくともどちらか一方を上記記憶手段に記憶させ、
　上記再生開始制御手段は、情報記録媒体の再生を開始するときに、当該情報記録媒体の識別情報に対応づけて上記記憶手段に記憶させた再生内容を再生した後、続けて当該情報記録媒体からの再生を行うことを特徴とする再生装置。
　【請求項２】
　上記認識手段で認識情報を認識できない情報記録媒体の再生を中断するときに、上記再生中断制御手段は、当該情報記録媒体用の識別情報を設定し、設定した識別情報と中断位置情報とを対応付けて、上記記憶手段に記憶させ、
　上記識別情報を設定した後、上記認識手段で識別情報を認識できない情報記録媒体の再生を開始するときに、当該情報記録媒体が上記識別情報を設定されたものから他のものに交換されていない場合には、上記再生開始制御手段は、上記記憶手段に記憶されている再生中断時に設定された識別情報に対応する中断位置情報に基づいて、上記再生手段による再生開始位置を制御することを特徴とする請求項１に記載の再生装置。
　【請求項３】
　交換可能な情報記録媒体の情報を再生する再生装置において、
　情報記録媒体の情報を再生する再生手段と、
　情報記録媒体を識別するための識別情報を認識する認識手段と、
　識別情報を含む情報を記憶する記憶手段と、
　情報記録媒体の再生を中断するときに、上記認識手段で認識した当該情報記録媒体の識別情報と、当該情報記録媒体の次回の再生を中断位置から行うために上記再生手段により再生を開始すべき当該記録媒体上の位置を特定可能な中断位置情報とを対応づけて、上記記憶手段に記憶させる再生中断制御手段と、
　情報記録媒体の再生を開始するときに、上記認識手段で認識した当該情報記録媒体の識別情報に対応して上記認識手段に記憶されている中断位置情報に基づいて、上記再生手段による再生開始位置を制御する再生開始制御手段とを備え、
　上記認識手段で識別情報を認識できない情報記録媒体の再生を中断するときに、上記再生中断制御手段は、当該情報記録媒体用の識別情報を設定し、設定した識別情報と中断位置情報とを対応付けて、上記記憶手段に記憶させ、
　上記識別情報を設定した後、上記認識手段で識別情報を認識できない情報記録媒体の再生を開始するときに、当該情報記録媒体が上記識別情報を設定されたものから他のものに交換されていない場合には、上記再生開始制御手段は、上記記憶手段に記憶されている再生中断時に設定された識別情報に対応する中断位置情報に基づいて、上記再生手段による再生開始位置を制御することを特徴とする再生装置。
　【請求項４】
　上記記憶手段は、複数の情報記録媒体のそれぞれの識別情報と、情報記録媒体毎の中断位置情報とを記憶可能であり、
　上記再生開始制御手段は、情報記録媒体の再生を開始するとき、上記記憶手段に記憶された情報のうち再生する情報記録媒体に対応する中断位置情報に基づいて再生手段を制御することを特徴とする請求項１ないし３のいずれか１項に記載の再生装置。
　【請求項５】
　上記記憶手段が、交換可能であることを特徴とする請求項１ないし４のいずれか１項に記載の再生装置。
　【請求項６】
　上記再生中断制御手段は、中断位置情報を上記記憶手段に記憶させるときに、中断位置情報を記憶させた順序を特定可能なように記憶させることを特徴とする請求項１ないし４のいずれか１項に記載の再生装置。
　【請求項７】
　上記記憶手段の空き容量を増やす必要が生じたときに、記憶した順序が古い情報から優先的に削除する記憶内容管理手段を備えることを特徴とする請求項６に記載の再生装置。
　【請求項８】
　上記記憶手段に記憶されている情報の内容を表示する表示手段と、
　ユーザからの入力を受け付ける入力手段と、
　ユーザの入力に応じた特定の識別情報に対応する情報記録媒体に関しては、中断位置からの再生を無効とする無効化手段とを備えることを特徴とする請求項１ないし７のいずれか１項に記載の再生装置。
　【請求項９】
　上記記憶手段に記憶されている情報の内容を表示する表示手段と、
　ユーザからの入力を受け付ける入力手段と、
　ユーザの入力に応じた特定の識別情報に対応する中断位置情報を上記記憶手段から削除する削除手段を備えることを特徴とする請求項１ないし８のいずれか１項に記載の再生装置。
　【請求項１０】
　上記入力手段は、上記記憶手段に記憶される記録情報媒体の識別情報に１対１で対応するユーザによる別名称の入力を受け付け、
　上記記憶手段は、当該情報記録媒体の識別情報と中断位置情報とを対応づけて上記別名称を記憶し、
　上記表示手段は、上記記憶手段に記憶された別名称を表示することを特徴とする請求項８または９に記載の再生装置。
　【請求項１１】
　交換可能な情報記録媒体の情報を再生する再生装置の制御方法において、
　情報記録媒体の再生を中断するときに、
　当該情報記録媒体を再生する再生手段に対して再生の中断を指示する中断指示ステップと、
　当該情報記録媒体を識別するための識別情報と、当該情報記録媒体の次回の再生を中断位置から行うために上記再生手段により再生を開始すべき当該情報記録媒体上の位置を特定可能な中断位置情報とを対応づけて記憶手段に記憶する記憶ステップとを含み、
　情報記録媒体の再生を開始するときに、
　当該情報記録媒体を識別するための識別情報を認識する認識ステップと、
　上記記憶手段に記憶されている中間位置情報のうち、上記認識ステップで認識された識別情報に対応するものを取得する情報取得ステップと、
　上記情報取得ステップにおいて取得した中断位置情報に基づいて、上記再生手段による再生開始位置を制御する再生開始ステップとを含み、
　上記再生中断指示ステップでは、情報記録媒体の再生を中断するときに、当該情報記録媒体の識別情報に対応づけて、当該情報記録媒体から読み取った再生中断位置後の再生内容の情報および再生中断位置前の再生内容の情報の少なくともどちらか一方を上記記憶手段に記憶させ、
　上記再生開始ステップでは、情報記録媒体の再生を開始するときに、当該情報記録媒体の識別情報に対応づけて上記記憶手段に記憶させた再生内容を再生した後、続けて当該情報記録媒体からの再生を行うことを特徴とする再生装置制御方法。
　【請求項１２】
　請求項１１における再生装置制御方法を実行するための再生装置制御プログラムであって、コンピュータに上記各ステップを実行させるための再生制御プログラム。
　【請求項１３】
　請求項１２の再生装置制御プログラムを記録したコンピュータ読み取り可能な記録媒体。」
　とあったところを、
　
「【請求項１】　
　交換可能な情報記録媒体の情報を再生する再生装置において、
　情報記録媒体の情報を再生する再生手段と、
　情報記録媒体を識別するための識別情報を認識する認識手段と、
　識別情報を含む情報を記憶する記憶手段と、
　情報記録媒体の再生を中断するときに、上記認識手段で認識した当該情報記録媒体の識別情報と、当該情報記録媒体の次回の再生を中断位置から行うために上記再生手段により再生を開始すべき当該記録媒体上の位置を特定可能な中断位置情報とを対応づけて、上記記憶手段に記憶させる再生中断制御手段と、
　情報記録媒体の再生を開始するときに、上記認識手段で認識した当該情報記録媒体の識別情報に対応して上記記憶手段に記憶されている中断位置情報に基づいて、上記再生手段による再生開始位置を制御する再生開始制御手段とを備え、
　上記再生中断制御手段は、情報記録媒体の再生を中断するときに、当該情報記録媒体の識別情報に対応づけて、当該情報記録媒体から読み取った
少なくとも
を
　上記再生開始制御手段は、情報記録媒体の再生を開始するときに、当該情報記録媒体の識別情報に対応づけて上記記憶手段に記憶させた再生内容を再生
すると共に、当該再生内容の再生に
、当該情報記録媒体の識別情報に対応した中断位置情報に基づき、上記再生手段が
よう制御する
　【請求項２】
　上記認識手段で認識情報を認識できない情報記録媒体の再生を中断するときに、上記再生中断制御手段は、当該情報記録媒体用の識別情報を設定し、設定した識別情報と中断位置情報とを対応付けて、上記記憶手段に記憶させ、
　上記識別情報を設定した後、上記認識手段で識別情報を認識できない情報記録媒体の再生を開始するときに、当該情報記録媒体が上記識別情報を設定されたものから他のものに交換されていない場合には、上記再生開始制御手段は、上記記憶手段に記憶されている再生中断時に設定された識別情報に対応する中断位置情報に基づいて、上記再生手段による再生開始位置を制御することを特徴とする請求項１に記載の再生装置。
　【請求項３】
　交換可能な情報記録媒体の情報を再生する再生装置において、
　情報記録媒体の情報を再生する再生手段と、
　情報記録媒体を識別するための識別情報を認識する認識手段と、
　識別情報を含む情報を記憶する記憶手段と、
　情報記録媒体の再生を中断するときに、上記認識手段で認識した当該情報記録媒体の識別情報と、当該情報記録媒体の次回の再生を中断位置から行うために上記再生手段により再生を開始すべき当該記録媒体上の位置を特定可能な中断位置情報とを対応づけて、上記記憶手段に記憶させる再生中断制御手段と、
　情報記録媒体の再生を開始するときに、上記認識手段で認識した当該情報記録媒体の識別情報に対応して上記認識手段に記憶されている中断位置情報に基づいて、上記再生手段による再生開始位置を制御する再生開始制御手段とを備え、
　上記認識手段で識別情報を認識できない情報記録媒体の再生を中断するときに、上記再生中断制御手段は、当該情報記録媒体用の識別情報を設定し、設定した識別情報と中断位置情報とを対応付けて、上記記憶手段に記憶させ、
　上記識別情報を設定した後、上記認識手段で識別情報を認識できない情報記録媒体の再生を開始するときに、当該情報記録媒体が上記識別情報を設定されたものから他のものに交換されていない場合には、上記再生開始制御手段は、上記記憶手段に記憶されている再生中断時に設定された識別情報に対応する中断位置情報に基づいて、上記再生手段による再生開始位置を制御することを特徴とする再生装置。
　【請求項４】
　上記記憶手段は、複数の情報記録媒体のそれぞれの識別情報と、情報記録媒体毎の中断位置情報とを記憶可能であり、
　上記再生開始制御手段は、情報記録媒体の再生を開始するとき、上記記憶手段に記憶された情報のうち再生する情報記録媒体に対応する中断位置情報に基づいて再生手段を制御することを特徴とする請求項１ないし３のいずれか１項に記載の再生装置。
　【請求項５】
　上記記憶手段が、交換可能であることを特徴とする請求項１ないし４のいずれか１項に記載の再生装置。
　【請求項６】
　上記再生中断制御手段は、中断位置情報を上記記憶手段に記憶させるときに、中断位置情報を記憶させた順序を特定可能なように記憶させることを特徴とする請求項１ないし５のいずれか１項に記載の再生装置。
　【請求項７】
　上記記憶手段の空き容量を増やす必要が生じたときに、記憶した順序が古い情報から優先的に削除する記憶内容管理手段を備えることを特徴とする請求項６に記載の再生装置。
　【請求項８】
　上記記憶手段に記憶されている情報の内容を表示する表示手段と、
　ユーザからの入力を受け付ける入力手段と、
　ユーザの入力に応じた特定の識別情報に対応する情報記録媒体に関しては、中断位置からの再生を無効とする無効化手段とを備えることを特徴とする請求項１ないし７のいずれか１項に記載の再生装置。
　【請求項９】
　上記記憶手段に記憶されている情報の内容を表示する表示手段と、
　ユーザからの入力を受け付ける入力手段と、
　ユーザの入力に応じた特定の識別情報に対応する中断位置情報を上記記憶手段から削除する削除手段を備えることを特徴とする請求項１ないし８のいずれか１項に記載の再生装置。
　【請求項１０】
　上記入力手段は、上記記憶手段に記憶される記録情報媒体の識別情報に１対１で対応するユーザによる別名称の入力を受け付け、
　上記記憶手段は、当該情報記録媒体の識別情報と中断位置情報とを対応づけて上記別名称を記憶し、
　上記表示手段は、上記記憶手段に記憶された別名称を表示することを特徴とする請求項８または９に記載の再生装置。
　【請求項１１】
　交換可能な情報記録媒体の情報を再生する再生装置の制御方法において、
　情報記録媒体の再生を中断するときに、
　当該情報記録媒体を再生する再生手段に対して再生の中断を指示する中断指示ステップと、
　当該情報記録媒体を識別するための識別情報と、当該情報記録媒体の次回の再生を中断位置から行うために上記再生手段により再生を開始すべき当該情報記録媒体上の位置を特定可能な中断位置情報とを対応づけて記憶手段に記憶する記憶ステップとを含み、
　情報記録媒体の再生を開始するときに、
　当該情報記録媒体を識別するための識別情報を認識する認識ステップと、
　上記記憶手段に記憶されている中間位置情報のうち、上記認識ステップで認識された識別情報に対応するものを取得する情報取得ステップと、
　上記情報取得ステップにおいて取得した中断位置情報に基づいて、上記再生手段による再生開始位置を制御する再生開始ステップとを含み、
　上記再生中断指示ステップでは、情報記録媒体の再生を中断するときに、当該情報記録媒体の識別情報に対応づけて、当該情報記録媒体から読み取った
少なくとも
を
　上記再生開始ステップでは、情報記録媒体の再生を開始するときに、当該情報記録媒体の識別情報に対応づけて上記記憶手段に記憶させた再生内容を再生
すると共に、当該再生内容の再生に
、当該情報記録媒体の識別情報に対応した中断位置情報に基づき、上記再生手段が
よう制御する
　【請求項１２】
　請求項１１における再生装置制御方法を実行するための再生装置制御プログラムであって、コンピュータに上記各ステップを実行させるための再生制御プログラム。
　【請求項１３】
　請求項１２の再生装置制御プログラムを記録したコンピュータ読み取り可能な記録媒体。」
とするものである。　
　　
　上記本件補正の請求項１乃至１３は、本件補正前の請求項１乃至１３に、それぞれ対応するものである。
　本件補正の請求項１乃至１３の具体的内容については、概略、本件補正前の独立請求項である【請求項１】及び【請求項１１】における発明特定事項の「再生内容」について、「再生中断位置後の再生内容の情報および再生中断位置前の再生内容の情報の少なくともどちらか一方」の択一的記載から「少なくとも再生中断位置前の再生内容の情報」と補正し、「再生開始制御手段」について、「すると共に、当該再生内容の再生に」…「、当該情報記録媒体の識別情報に対応した中断位置情報に基づき、上記再生手段が」…「よう制御する」と補正するものである。これらはいずれも構成要件を限定するものであるから、平成１８年改正前特許法第１７条の２第４項第２号の特許請求の範囲の減縮を目的するものに該当する。
　そこで、本件補正後の前記請求項１に係る発明（以下、「本願補正発明」という。）が特許出願の際独立して特許を受けることができるものであるか（平成１８年改正前特許法第１７条の２第５項において準用する同法第１２６条第５項に規定する要件を満たすか）否かについて、以下検討する。
　
２．引用例
　
　原査定の拒絶の理由に引用された特開２０００−３１１４２０号公報（以下、「引用例」という。）には、デジタルバーサタイルディスク（ＤＶＤ）等の再生動作を行うディスク再生装置に関し、図面と共に、以下の記載がある。
　なお、「（２）ＤＶＤ再生装置の全体構成」部以外の下線は、当審で付与した。
　
（１）「【０００１】
【発明の属する技術分野】本発明は、デジタルバーサタイルディスク（ＤＶＤ）等の再生動作を行うディスク再生装置に関する。」
　
（２）「【０００７】
【課題を解決するための手段】上述した課題を解決するために、
本発明のディスク再生装置は、ディスク型記録媒体に記録されている画像および音声の再生動作が停止したときに、その時点で装填されているディスク型記録媒体の識別情報と停止時再生箇所とを少なくとも含む停止位置特定データを特定データ生成格納手段によって生成して格納しておいて、この１あるいは複数の停止位置特定データに基づいて、選択メニュー表示手段によって、ディスク型記録媒体を特定する情報と停止時再生箇所とを含む選択メニューを表示している。そして、利用者によって、この選択メニューに含まれるいずれかの停止時再生箇所が選択されたときに、選択された停止時再生箇所から画像および音声の再生が行われる
　
（３）「【００２７】
（２）ＤＶＤ再生装置の全体構成
図６は、本発明を適用した一実施形態のＤＶＤ再生装置の全体構成を示す図である。同図に示すＤＶＤ再生装置１００は、ＤＶＤ１０に記録された信号を読み取るためのスピンドルモータ１２、光ピックアップ１４、送りモータ１６およびサーボ制御部１８と、読み取った信号の増幅等を行って画像表示や音声出力を行うためのＲＦアンプ２２、デジタル信号処理部２４、４個のバッファ用ＲＡＭ２６、３４、３８、４２、ストリーム分離用３０、オーディオデコーダ３２、ビデオデコーダ３６、サブピクチャデコーダ４０、ビデオプロセッサ４４、ビデオエンコーダ４６、ディスプレイ装置４７、デジタル−アナログ（Ｄ／Ａ）変換器４８およびスピーカ４９と、利用者が各種の操作指示を入力するための操作部５８と、ＤＶＤ再生装置１００の全体を制御するためのシステムコントローラ６０、ＲＡＭ６２とを含んで構成されている。
【００２８】スピンドルモータ１２は、ＤＶＤ１０を一定の線速度で回転させる。
光ピックアップ１４は、ＤＶＤ１０に記録されたデータを検出する
【００２９】（省略）
【００３０】
ＲＦアンプ２２は、光ピックアップ１４に内蔵されたホトダイオードから出力される電気信号を増幅する
【００３１】
デジタル信号処理部２４は、ＲＦアンプ２２から出力される信号に対して、デジタルデータに変換した後にＤＶＤ１０のデータフォーマットに応じた信号復調処理（８−１６復調処理）と誤り訂正処理を行い
【００３２】〜【００３５】（省略）
【００３６】
操作部５８は、タイトル再生の指示を与えるための再生キーやタイトル再生の停止を指示するための停止キー、タイトル再生の一時停止を指示するための一時停止キー、再生動作が停止した位置を記憶する指示を与えるための停止位置記録キー、後述する停止位置メニュー画面を表示する指示を与えるための停止位置メニュー画面表示キー、左右上下のカーソルキー、表示画面上のカーソル位置にある項目の確定を行う設定キー等の各種操作キーを備え
【００３８】また、
システムコントローラ６０は、タイトルの再生中に、利用者によって操作部５８の停止位置記録キーが押下されて再生動作を停止あるいは一時停止された場合には、その停止位置を特定するための停止位置特定データを生成して、ＲＡＭ６２に格納する。なお、ＲＡＭ２６は、不揮発性メモリ
【００３９】図７は、停止位置特定データの一例を示す図である。同図に示すように、
停止位置特定データは、データの生成年月日、ＤＶＤ再生装置１００に装填されているＤＶＤ１０のディスク名、停止する際に再生されているＤＶＤ１０のディスク名、停止する際に再生されていたタイトルに対応するＶＴＳのＶＴＳ番号、停止する際に再生されていたチャプタに対応するＰＴＴ番号、タイトルの再生を開始してから停止位置に至までの再生時間（停止位置時間）によって構成されている
ＤＶＤ１０の識別情報としてのディスク名には、上述したＶＭＧＩに含まれるディスク名が設定される
【００４０】また、利用者によって操作部５８の停止位置メニュー画面表示キーが押下された場合には、システムコントローラ６０は、ＲＡＭ６２から全ての停止位置特定データを読み出して、各停止位置に関連する各種情報（停止位置関連情報）を含んだ選択メニューとしての停止位置メニュー画面を表示するための制御を行う。
【００４１】また、利用者によって操作部５８のカーソルキーが操作されて停止位置メニュー画面に表示されたいずれかの停止位置関連情報にカーソルが合わせられ、さらに設定キーが押下されて停止位置関連情報の選択状態が確定すると、
システムコントローラ６０は、選択された停止位置に対応するＤＶＤ１０がＤＶＤ再生装置１００に装填されているか否かを判定する。そして、選択された停止位置に対応するＤＶＤ１０がＤＶＤ再生装置１００に装填されている場合には、システムコントローラ６０は、対応する停止位置特定データに基づいて、各種のサーボ指令をサーボ制御部１８に出力したり、画像生成指示をビデオプロセッサ４４に出力する等、選択された停止位置から画像や音声の再生を開始する制御を行う
　
（４）「【００６８】
【発明の効果】上述したように、本発明によれば、選択メニューを見ながら、記録されている停止位置から再生を行いたいディスク型記録媒体と所望の停止位置を指定することができ、特定のディスク型記録媒体の特定の停止位置からの再生動作を行うことが容易となる。」
　　　
　上記摘示事項及び図面の記載を参酌すると、引用例には、次の発明が記載されているものと認める。
　
「ＤＶＤに記録されたデータを検出する光ピックアップと、
　光ピックアップに内蔵されたホトダイオードから出力される電気信号を増幅するＲＦアンプと、
　ＲＦアンプから出力される信号に対して、デジタルデータに変換した後にＤＶＤのデータフォーマットに応じた信号復調処理と誤り訂正処理を行うデジタル信号処理部と、
　停止キー、一時停止キー、再生動作が停止した位置を記録する指示を与えるための停止位置記録キー、停止位置メニュー画面を表示する指示を与えるための停止位置メニュー画面表示キー、カーソルキー、設定キー等の各種操作キーを備えた操作部と、
　システムコントローラと、
　を備えたＤＶＤ再生装置において、
　システムコントローラは、
　タイトルの再生中に、操作部の停止位置記録キーが押下されて再生動作を停止した位置（停止位置）を記録する指示がなされ、さらに操作部の停止キーや一時停止キーが押下されて再生動作が停止あるいは一時停止された場合には、その停止位置を特定するための停止位置特定データ（データの生成年月日、ＤＶＤ再生装置に装填されているＤＶＤのディスク名、停止する際に再生されていたタイトルに対応するＶＴＳのＶＴＳ番号、チャプタに対応するＰＴＴ番号、タイトルの再生を開始してから停止位置に至までの再生時間（停止一時間））を生成して、ＲＡＭ（不揮発性）に格納し、
　操作部の停止位置メニュー画面表示キーが押下された場合には、ＲＡＭから停止位置特定データを読み出し、各停止位置に関連する各種情報（停止位置関連情報）を含んだ停止位置メニュー画面を表示し、停止位置メニュー画面に表示されたいずれかの停止位置関連情報にカーソルが合わせられ、さらに設定キーが押下されて停止位置関連情報の選択状態が確定すると、選択された停止位置に対応するＤＶＤがＤＶＤ再生装置に装填されているか否かを判定し、選択された停止位置に対応するＤＶＤがＤＶＤ再生装置に装填されている場合には、対応する停止位置特定データに基づいて、選択された停止位置からの再生を開始する制御を行う
　ＤＶＤ再生装置。」
　
３．対比
　
　そこで、本願補正発明と引用例に記載された発明とを対比する。
　
（１）引用例に記載された発明における「ＤＶＤ」「データ」「停止位置」は、それぞれ本願補正発明の「情報記録媒体」「情報」「中断位置」に相当する。
（２）引用例に記載された発明の「ＤＶＤ再生装置」は、装填されたＤＶＤを再生するものであるから、本願補正発明の「再生装置」に相当する。
（３）引用例に記載された発明の「ディスク名」は、「ＤＶＤの識別情報としてのディスク名」と記載（上記摘示事項（２）の段落【００３９】参照）されているから、引用例に記載された発明の「ディスク名」は、本願補正発明の「識別情報」に相当する。
（４）引用例に記載された発明は、ＤＶＤに記録されたデータを光ピックアップで検出し、ＲＦアンプで増幅し、デジタル信号処理部で信号処理を行うものであるから、本願補正発明の「再生手段」に相当する構成を備えている。
（５）引用例に記載された発明の「ＲＡＭ」は、「停止位置特定データ」を格納しており、停止位置特定データはディスク名（識別情報）を含むから、本願補正発明の「記憶手段」に相当する。
（６）引用例に記載された発明において、「システムコントローラ」は、「タイトルの再生中に停止位置記録キーが押下されて再生動作を停止した位置を記録する指定がされ、さらに再生動作が停止あるいは一時停止された場合には、その停止位置を特定するための停止位置特定データを生成して、ＲＡＭに格納し」とされており、また、「停止位置特定データ」には「識別情報（ディスク名）」が含まれていることを考慮すると、本願補正発明の「情報記録媒体の再生を中断するときに、当該情報記録媒体の識別情報と、当該情報記録媒体の次回の再生を中断位置から行うために上記再生手段により再生を開始すべき当該記録媒体上の位置を特定可能な中断位置情報とを対応づけて、上記記憶手段に記憶させる再生中断制御手段」に相当する構成を備えている。
（７）引用例に記載された発明において、「システムコントローラ」は、「選択された停止位置に対応するＤＶＤがＤＶＤ再生装置に装填されている場合には、対応する停止位置特定に基づいて、選択された停止位置から再生を開始する制御を行う」から、本願補正発明の「情報記録媒体の再生を開始するときに、当該情報記録媒体の識別情報に対応して上記認識手段に記憶されている中断位置情報に基づいて、上記再生手段による再生開始位置を制御する再生開始制御手段」に相当する構成を備えている。
　そうすると、本願補正発明と引用例に記載された発明とは、次の点で一致する。
　
＜一致点＞
「交換可能な情報記録媒体の情報を再生する再生装置において、
　情報記録媒体の情報を再生する再生手段と、
　識別情報を含む情報を記憶する記憶手段と、
　情報記録媒体の再生を中断するときに、当該情報記録媒体の識別情報と、当該情報記録媒体の次回の再生を中断位置から行うために上記再生手段により再生を開始すべき当該記録媒体上の位置を特定可能な中断位置情報とを対応づけて、上記記憶手段に記憶させる再生中断制御手段と、
　情報記録媒体の再生を開始するときに、当該情報記録媒体の識別情報に対応して上記記憶手段に記憶されている中断位置情報に基づいて、上記再生手段による再生開始位置を制御する再生開始制御手段とを備え、
　上記再生開始制御手段は、情報記録媒体の再生を開始するときに、当該情報記録媒体の識別情報に対応した中断位置情報に基づき、上記再生手段が当該情報記録媒体からの再生を行うよう制御する再生装置。」の点。
　
　そして、次の各点で相違する。
＜相違点＞
（ａ）本願補正発明は、「情報記録媒体を識別するための識別信号を認識する認識手段」を備えているのに対し、引用例に記載された発明は、「認識手段」についての記載がない点。
　
（ｂ）「再生中断制御手段」および「再生開始制御手段」について、本願補正発明は、再生中断制御手段は、情報記録媒体の再生を中断するときに、「記録媒体の識別情報に対応づけて、当該記録媒体から読み取った少なくとも再生中断位置前の再生内容の情報を記憶手段に記憶させ」、再生開始制御手段は、情報記録媒体の再生を開始するときに、「当該情報記録媒体の識別情報に対応づけて上記記憶手段に記憶させた再生内容を再生すると共に、当該再生内容の再生に続けて、」当該情報記録媒体の識別情報に対応した中断位置情報に基づき、再生手段が当該情報記録媒体からの再生を行うよう制御するのに対し、引用例に記載された発明は、再生内容の記憶、再生についての記載がない点。
　
４．判断
　
　そこで、上記相違点について検討する。
　
（相違点ａについて）
　引用例には、選択された停止位置に対応するＤＶＤ（情報記録媒体）がＤＶＤ再生装置に装填されているか否かを判定すること、及び、ＤＶＤを識別するための識別情報（ディスク名）が当該ＤＶＤに記録されていることが記載されているから、引用例に記載された発明において、ＤＶＤの判定に際し、ＤＶＤの識別情報を認識すること、換言すれば、ＤＶＤ（情報記録媒体）を識別するための識別情報を認識する「認識手段」を備える程度のことは、当業者が格別の工夫を要することなく容易に想到し得ることである。
　
（相違点ｂについて）
　再生停止（中断）時、記録媒体の再生停止箇所（中断位置）をリジューム情報とし、再生停止箇所までの記録情報（再生中断位置前の再生内容）をレジューム情報と関連付けた情報として記録装置（記憶手段）に記録（記憶）し、再生キーが押されると、記録装置に記録しておいた再生情報の再生を行い、続いて再生停止箇所からは記録媒体から情報再生を行うことにより、再生停止前（再生中断位置前）の情報（再生内容）とのつながりを把握することのできるレジューム機能を有する再生装置は、例えば、特表平１０−５０８１３８号、特開２００２−２８１４４７号公報等で本願出願前に周知の技術であるから、引用例に記載された発明においても、選択されたＤＶＤ（記録媒体）の停止位置前の再生情報の把握等を可能とするために、上記周知技術を適用して、再生中断制御手段は、情報記録媒体の再生を中断するときに、「記録媒体の識別情報に対応づけて、当該記録媒体から読み取った少なくとも再生中断位置前の再生内容の情報を記憶手段に記憶させ」、再生開始制御手段は、情報記録媒体の再生を開始するときに、「当該情報記録媒体の識別情報に対応づけて上記記憶手段に記憶させた再生内容を再生すると共に、当該再生内容の再生に続けて、」当該情報記録媒体の識別情報に対応した中断位置情報に基づき、再生手段が当該情報記録媒体からの再生を行うよう制御することは、当業者が容易に想到し得るものである。
　
　そして、上記各相違点を総合的に判断しても、本願補正発明が奏する効果は引用例及び周知技術から、当業者が十分に予測できたものであって、格別なものとはいえない。
　したがって、本願補正発明は、引用例に記載された発明及び周知技術に基づいて当業者が容易に発明をすることができたものであるから、特許法第２９条第２項の規定により特許出願の際独立して特許を受けることができない。
　
５．本件補正についてのむすび
　
　以上のとおり、本件補正は、平成１８年改正前特許法第１７条の２第５項で準用する同法第１２６条第５項の規定に違反するものであるから、特許法第１５９条第１項の規定で読み替えて準用する特許法第５３条第１項の規定により却下されるべきものである。
　
第３　本願発明について
　
１．本願発明
　
　平成１８年３月１０日付けの手続補正は上記のとおり却下されたので、本願の請求項１乃至１３に係る発明は平成１７年１１月２４日付け手続補正書の請求項１乃至１３に記載された事項により特定されるとおりのものである。そのうち、本願の請求項１に係る発明（以下、同項記載の発明を「本願発明」という。）は、上記「第２［理由］１．」に本願補正前の請求項１として記載したとおりである。
　
２．引用例
　
　原査定の拒絶の理由に引用された引用例の記載事項は、上記「第２［理由］２．」に示したとおりである。
　
３．対比・判断
　
　本願発明は、上記「第２」で検討した本願補正発明から、概略、「再生内容」について「少なくとも再生中断位置前の」との一義的な限定を削除し、「再生開始制御手段」について「情報記録媒体の識別情報に対応した中断位置情報に基づき」との構成を省略したものである。
　そうすると、本願発明の構成要件を全て含み、さらに他の構成要件を付加したものに相当する本願補正発明が、上記「第２」に記載したとおり、引用例に記載された発明 及び周知技術に基づいて、当業者が容易に発明をすることができたものであるから、本願発明も、同様の理由により、引用例に記載された発明及び周知技術に基づいて、当業者が容易に発明をすることができたものである。
　
４．むすび
　
　以上のとおり、本願の請求項１に係る発明は、引用例に記載された発明及び周知技術に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。